(57)【特許請求の範囲】
【請求項１】
第６〜７胸椎部における胸最長筋を侵襲することなく、生体牛の第６〜７肋骨切開面胸最長筋における脂肪交雑値を推定する方法であって、
生体牛の第10〜11胸椎部の胸最長筋に所定の周波数で交番電流を通電して、同第10〜11胸椎部の胸最長筋における生体電気インピーダンス値の測定を行うインピーダンス測定工程と、
等価回路モデルに基いて、前記インピーダンス測定工程にて得られた前記生体電気インピーダンス値から細胞内抵抗値を算出する細胞内抵抗算出工程と、
細胞内抵抗値−脂肪交雑値相関式に前記細胞内抵抗算出工程にて得られた細胞内抵抗値を代入し、第６〜７肋骨切開面胸最長筋における推定脂肪交雑値を算出する脂肪交雑値推定工程と、
を有することを特徴とする脂肪交雑値の推定方法。
【請求項２】
前記生体電気インピーダンス値の測定は、所定の周波数で交番電流を供給する電流供給装置に接続された一対の電流通電電極と、電圧計に接続された一対の電圧測定電極とを生体牛の第10〜11胸椎部の胸最長筋に穿刺して４電極法により行うことを特徴とする請求項１に記載の脂肪交雑値の推定方法。
【請求項３】
前記等価回路モデルは、Haydenの電気的等価回路モデルであることを特徴とする請求項１又は請求項２に記載の脂肪交雑値の推定方法。
【請求項４】
前記所定の周波数は、10k〜100kHzであることを特徴とする請求項１〜３いずれか１項に記載の脂肪交雑値の推定方法。
【請求項５】
前記細胞内抵抗値−脂肪交雑値相関式は、下記式（Ｉ）で示されることを特徴とする請求項１〜４いずれか１項に記載の脂肪交雑値の推定方法。
【数１】
0006337351.tif 000006
【請求項６】
前記細胞内抵抗値は、前記第10〜11胸椎部の胸最長筋における単位断面積あたりの細胞内抵抗値であることを特徴とする請求項１〜５いずれか１項に記載の脂肪交雑値の推定方法。
【発明の詳細な説明】
【技術分野】
【０００１】
本発明は、生体牛の第６〜７肋骨切開面胸最長筋における脂肪交雑値を推定する方法に関する。
【背景技術】
【０００２】
従来、消費者に牛の部分肉を供給すべく、流通段階では牛の枝肉の取引がなされている。
【０００３】
この枝肉の価格は、同枝肉の歩留等級や肉質等級で決定される格付けに基づき、セリによって決められている。
【０００４】
従って、生産者側の視点に立てば、より多くの利益を得るためにも、格付けが極めて重要であると言える。
【０００５】
格付けを決定する上で参照される肉質等級のうち、サシの入り具合、すなわち脂肪交雑は重要な要素の一つである。
【０００６】
この脂肪交雑は、畜試式牛脂肪交雑基準の標準模型を基に、左半丸第６〜７肋骨切開面（リブロース部切開面）を格付員が目視し、脂肪交雑値（BMS No.: Beef Marbling Standard Number）として12段階で評価される。なお、以下の説明において、格付時に格付員が評価した脂肪交雑値を格付時脂肪交雑値とも言う。
【０００７】
勿論、肉質の引き締まり具合や色合い、脂肪の色合いなど他の要素もあるが、格付員による良好な格付けを得るためには、この格付時脂肪交雑値が高いほど好ましい。
【０００８】
ところで、肉牛は生後約３年弱の生育期間を経て食肉に加工されるが、その間、生産者は、飼料代や管理代など諸経費を負担しなければならない。
【０００９】
しかし、肉質は個体毎に異なるため、中には時間を掛けて肥育したものの、負担した諸経費や利益に見合う十分な格付けが得られないおそれもある。
【００１０】
このような肉牛は、比較的早い段階で肥育を止め、食肉加工に供することで、利益バランスを改善することが可能となる。
【００１１】
また一方で、良好な肉質を有する個体は、飼料等を吟味しながら十分に肥育させることで、高い格付けを得ることも可能となる。
【００１２】
すなわち、生産者による生体牛の飼育段階において、生体牛の状態で格付時脂肪交雑値が推定できれば、流通調整に資することができる。
【００１３】
しかしながら、脂肪交雑値の格付けは、生体牛の屠畜後、枝肉の状態となってから行われるものであって、飼育中にその肉質を生体牛の外観から推定するのは困難であった。
【００１４】
そこで近年、生体牛の状態で脂肪交雑値を推定する方法として、超音波画像診断装置を利用した脂肪交雑度合いの事前検査方法が提案されている（例えば、特許文献１参照。）。
【００１５】
このような超音波画像診断装置を用いて事前検査を行うことで、脂肪交雑値の推定を行うことができる。
【先行技術文献】
【特許文献】
【００１６】
【特許文献１】特開２００８−０５４８１７号公報
【発明の概要】
【発明が解決しようとする課題】
【００１７】
しかしながら、上記従来の脂肪交雑値の推定方法では、高価な超音波画像診断装置を必須としており、手軽な方法とは言い難いという問題があった。
【００１８】
また、得られた超音波画像から脂肪交雑度合いを判読するためには、ある程度熟練を要するという問題もある。
【００１９】
また、別の方法として、生体牛の第６〜７肋骨切開面胸最長筋にバイオプシー等を施して生体組織診断を行うという方法も考えられるが、当該部位は枝肉加工後に格付員によって目視検査が行われる部位であり、侵襲を加えたくないという要望もある。
【００２０】
本発明は、斯かる事情に鑑みてなされたものであって、生体牛の第６〜７胸椎部における胸最長筋に侵襲を加えることなく、安価且つ手軽に生体牛の第６〜７肋骨切開面胸最長筋における脂肪交雑値を比較的容易に推定する方法を提供する。
【課題を解決するための手段】
【００２１】
上記従来の課題を解決するために、本発明に係る脂肪交雑値の推定方法では、（１）第６〜７胸椎部における胸最長筋を侵襲することなく、生体牛の第６〜７肋骨切開面胸最長筋における脂肪交雑値を推定する方法であって、生体牛の第10〜11胸椎部の胸最長筋に所定の周波数で交番電流を通電して、同第10〜11胸椎部の胸最長筋における生体電気インピーダンス値の測定を行うインピーダンス測定工程と、等価回路モデルに基いて、前記インピーダンス測定工程にて得られた前記生体電気インピーダンス値から細胞内抵抗値を算出する細胞内抵抗算出工程と、細胞内抵抗値−脂肪交雑値相関式に前記細胞内抵抗算出工程にて得られた細胞内抵抗値を代入し、第６〜７肋骨切開面胸最長筋における推定脂肪交雑値を算出する脂肪交雑値推定工程と、を有することとした。
【００２２】
また、本発明に係る脂肪交雑値の推定方法では、以下の点にも特徴を有する。
（２）前記生体電気インピーダンス値の測定は、所定の周波数で交番電流を供給する電流供給装置に接続された一対の電流通電電極と、電圧計に接続された一対の電圧測定電極とを生体牛の第10〜11胸椎部の胸最長筋に穿刺して４電極法により行うこと。
（３）前記等価回路モデルは、Haydenの電気的等価回路モデルであること。
（４）前記所定の周波数は、10k〜100kHzであること。
（５）前記細胞内抵抗値−脂肪交雑値相関式は、下記式（Ｉ）で示されること。
【数１】
0006337351.tif 000002
（６）前記細胞内抵抗値は、前記第10〜11胸椎部の胸最長筋における単位断面積あたりの細胞内抵抗値であること。
【発明の効果】
【００２３】
本発明に係る脂肪交雑値の推定方法によれば、第６〜７胸椎部における胸最長筋を侵襲することなく、生体牛の第６〜７肋骨切開面胸最長筋における脂肪交雑値を推定する方法であって、生体牛の第10〜11胸椎部の胸最長筋に所定の周波数で交番電流を通電して、同第10〜11胸椎部の胸最長筋における生体電気インピーダンス値の測定を行うインピーダンス測定工程と、等価回路モデルに基いて、前記インピーダンス測定工程にて得られた前記生体電気インピーダンス値から細胞内抵抗値を算出する細胞内抵抗算出工程と、細胞内抵抗値−脂肪交雑値相関式に前記細胞内抵抗算出工程にて得られた細胞内抵抗値を代入し、第６〜７肋骨切開面胸最長筋における推定脂肪交雑値を算出する脂肪交雑値推定工程と、を有することとしたため、生体牛の第６〜７胸椎部における胸最長筋に侵襲を加えることなく、安価且つ手軽に生体牛の第６〜７肋骨切開面胸最長筋における脂肪交雑値を比較的容易に推定することができる。
【００２４】
また、本発明に係る脂肪交雑値の推定方法では、前記生体電気インピーダンス値の測定は、所定の周波数で交番電流を供給する電流供給装置に接続された一対の電流通電電極と、電圧計に接続された一対の電圧測定電極とを生体牛の第10〜11胸椎部の胸最長筋に穿刺して４電極法により行うこととすれば、より正確な脂肪交雑値の推定を行うことができる。
【００２５】
また、前記等価回路モデルは、Haydenの電気的等価回路モデルであることとすれば、比較的単純な等価モデルにて生体牛の筋肉組織に即した脂肪交雑値の推定を行うことができる。
【００２６】
また、前記所定の周波数は、10k〜100kHzであることとすれば、より正確に脂肪交雑値の推定を行うことができる。
【００２７】
また、前記細胞内抵抗値−脂肪交雑値相関式は、下記式( I )で示されるものを用いることで、個体差も包含した比較的正確な脂肪交雑値を推定することができる。
【数２】
0006337351.tif 000003
【００２８】
また、前記細胞内抵抗値は、前記第10〜11胸椎部の胸最長筋における単位断面積あたりの細胞内抵抗値であることとすれば、さらに正確な脂肪交雑値の推定を行うことができる。
【図面の簡単な説明】
【００２９】
【図１】等価回路モデルを示した説明図である。
【図２】生体電気インピーダンスの測定状態を示した説明図である。
【図３】細胞外抵抗値と格付時脂肪交雑値、リブロース部粗脂肪含量、サーロイン部粗脂肪含量との関係を示した説明図である。
【図４】細胞内抵抗値と格付時脂肪交雑値、リブロース部粗脂肪含量、サーロイン部粗脂肪含量との関係を示した説明図である。
【図５】細胞膜容量値と格付時脂肪交雑値、リブロース部粗脂肪含量、サーロイン部粗脂肪含量との関係を示した説明図である。
【図６】脂肪交雑値の推定結果を示した説明図である。
【発明を実施するための形態】
【００３０】
本発明は、第６〜７胸椎部における胸最長筋を侵襲することなく、生体牛の第６〜７肋骨切開面胸最長筋における脂肪交雑値を推定する方法を提供するものである。なお、以下の説明において、本実施形態に係る脂肪交雑の推定方法にて推定された格付時に評価されるであろう脂肪交雑値を推定脂肪交雑値ともいう。
【００３１】
ここで、第６〜７肋骨切開面とは、枝肉における所謂リブロースに相当する部位であり、前述の通り格付員による格付けの目視検査対象部位である。
【００３２】
そして、本実施形態に係る脂肪交雑値の推定方法に特徴的には、生体牛の第10〜11胸椎部の胸最長筋（所謂、サーロイン部）におけるインピーダンス値を用いて推定することで、第６〜７胸椎部における胸最長筋を侵襲することなく、生体牛の第６〜７肋骨切開面胸最長筋における脂肪交雑値を推定するようにしている。
【００３３】
具体的には、本実施形態に係る脂肪交雑値の推定方法では、インピーダンス測定工程と、細胞内抵抗算出工程と、脂肪交雑値推定工程と、を有することとしている。
【００３４】
インピーダンス測定工程は、生体牛の第10〜11胸椎部の胸最長筋に所定の周波数で交番電流を通電して、同第10〜11胸椎部の胸最長筋における生体電気インピーダンス値の測定を行う工程である。
【００３５】
このインピーダンス測定工程における測定方法は、特に限定されるものではないが、例えば、所定の周波数で交番電流を供給する電流供給装置に接続された一対の電流通電電極と、電圧計に接続された一対の電圧測定電極とを生体牛の第10〜11胸椎部の胸最長筋に穿刺して４電極法（４端子法）により行うことができる。４電極法にてインピーダンス測定工程を行うことにより、可及的正確に第10〜11胸椎部の胸最長筋における生体電気インピーダンス値を得ることができる。
【００３６】
また、交番電流の周波数は、後述の細胞内抵抗算出工程にて適切な抵抗値を算出可能な周波数であれば特に限定されるものではないが、例えば、10k〜100kHzとすることができる。
【００３７】
細胞内抵抗算出工程は、第10〜11胸椎部の胸最長筋における組織の細胞内抵抗を算出する工程であり、具体的には、等価回路モデルに基いて、前記インピーダンス測定工程にて得られた前記生体電気インピーダンス値から細胞内抵抗値を算出する。
【００３８】
等価回路モデルは、第10〜11胸椎部の胸最長筋における組織の電気的な等価回路モデルであれば特に限定されるものではないが、例えば、図１に示すようなHaydenの電気的等価回路モデルを採用することができる。
【００３９】
また、細胞内抵抗値の算出にあたっては、第10〜11胸椎部の胸最長筋における単位断面積あたりの細胞内抵抗値を求めるようにしても良い。この単位断面積あたりの細胞内抵抗値は、第10〜11胸椎部の胸最長筋の断面積を求めることで算出することができる。なお、第10〜11胸椎部の胸最長筋の断面積を求める方法としては、例えば、超音波や放射線等を用いた断層画像診断装置等を利用することができる。
【００４０】
このようにして求められた第10〜11胸椎部の胸最長筋の断面積に基づいて算出した単位断面積あたりの細胞内抵抗値にて後述の脂肪交雑推定工程を行うことにより、第10〜11胸椎部の胸最長筋の断面積の個体差を緩衝して脂肪交雑値の推定を行うことができる。
【００４１】
脂肪交雑値推定工程は、細胞内抵抗値−脂肪交雑値相関式に前記細胞内抵抗算出工程にて得られた細胞内抵抗値を代入し、第６〜７肋骨切開面胸最長筋における推定脂肪交雑値を算出する工程である。
【００４２】
この細胞内抵抗値−脂肪交雑値相関式は、この脂肪交雑値推定工程を行うにあたり、予め作成された式である。細胞内抵抗値−脂肪交雑値相関式は、経験則に基づいて作成された経験式であってもよく、所定の理論に基づいて作成された近似式であっても良い。
【００４３】
例えば、細胞内抵抗値−脂肪交雑値相関式を経験式とする場合には、生体牛の細胞内抵抗値と、同生体牛が屠畜され枝肉となった際に格付員によって評定された格付時脂肪交雑値とのデータを複数の個体について蓄積し、例えば最小二乗法等によって作成することができる。
【００４４】
また、このような細胞内抵抗値−脂肪交雑値相関式の一例として、例えば、x軸を細胞内抵抗値、y軸を脂肪交雑値とし、下記式( I )にて示される式を細胞内抵抗値−脂肪交雑値相関式として用いることもできる。
【数３】
0006337351.tif 000004
【００４５】
この式( I )を細胞内抵抗値−脂肪交雑値相関式として用いることで、生体牛の個体差に比較的左右されることなく、格付時脂肪交雑値に近い推定脂肪交雑値を算出することができる。
【００４６】
このように、本実施形態に係る脂肪交雑値の推定方法によれば、生体牛の第６〜７胸椎部における胸最長筋に侵襲を加えることなく、安価且つ手軽に生体牛の第６〜７肋骨切開面胸最長筋における脂肪交雑値を比較的容易に推定する方法を提供することができる。
【００４７】
また、記細胞内抵抗値−脂肪交雑値相関式は、被験対象となる生体牛の前記第10〜11胸椎部の胸最長筋における断面積の個体差を緩衝すべく前記断面積を説明変数として備える式としても良い。このような式とすることにより、前記断面積の個体差に由来する格付時脂肪交雑値と推定脂肪交雑値との誤差を小さくすることができる。
【００４８】
以下、本実施形態に係る脂肪交雑値の推定方法について、実験データ等を参照しながら更に詳説する。
【００４９】
〔１．脂肪交雑値と相関の高い等価回路モデル構成要素の検討〕
まず、脂肪交雑値の推定を行うにあたり、第10〜11胸椎部の胸最長筋の等価回路モデルとしてのHaydenの電気的等価回路モデルを構成する抵抗やキャパシタ等の要素のうち、いずれの要素の値が最も脂肪交雑値と相関が高いかについて検討を行った。
【００５０】
先に図１にて示したように、Haydenの電気的等価回路モデルは、細胞内抵抗(Rin)と細胞膜容量(Cm)とを直列に接続して構成された細胞内モデル回路と、細胞外抵抗(Rex)で構成された細胞外モデル回路とを並列に接続して構成している。
【００５１】
そこでここでは、この細胞内抵抗(Rin)、細胞膜容量(Cm)、細胞外抵抗(Rex)のうち、いずれの要素が脂肪交雑値と高い相関を有するかについて確認を行った。
【００５２】
生後３年弱の生体牛39頭に対し、図２に示すインピーダンスメータ１０を用いてインピーダンス値の測定を行った。
【００５３】
インピーダンスメータ１０は、所定の周波数で交番電流を供給する電流供給装置１１に接続された一対の電流通電端子１２,１２と、電圧計１３に接続された一対の電圧測定端子１４,１４とを備えており、電流通電端子１２には電流通電電極１５を、電圧測定端子１４には電圧測定電極１６をそれぞれ接続可能に構成している。
【００５４】
また、インピーダンスメータ１０には、インピーダンス値算出部１７及び表示部１８が備えられている。インピーダンス値算出部１７は、電流供給装置１１の電流値や電圧計１３の電圧値を監視しており、これらの値に基づいて電圧測定端子１４,１４間のインピーダンス値を算出する。
【００５５】
また、表示部１８はインピーダンス値算出部１７に電気的に接続されており、インピーダンス値算出部１７にて算出されたインピーダンス値が、この表示部１８に表示されるよう構成している。
【００５６】
そして、このインピーダンスメータ１０を用いた生体電気インピーダンス値の測定にあたっては、電極針３０と導線３１とで構成した電流通電電極１５をそれぞれ電流通電端子１２に接続すると共に、同じく電極針３０と導線３１とで構成した電圧測定電極１６をそれぞれ電圧測定端子１４に接続し、生体牛２０の表皮２１に対し、皮下脂肪２２を貫通して第10〜11胸椎部の胸最長筋２３に至るまで電流通電電極１５及び電圧測定電極１６の各電極針３０部分を穿刺した。なお、穿刺の際には事前に麻酔を行った。
【００５７】
この状態で電流供給装置１１より電流通電電極１５を介して胸最長筋２３に通電しつつ、インピーダンスメータ１０の表示部１８に表示されたインピーダンス値を読み取ることで、４電極法によりインピーダンスの測定を行った。
【００５８】
また、これら39頭の屠畜後に格付員が決定した格付時脂肪交雑値、第６〜７胸椎部における胸最長筋の粗脂肪含有量（以下、リブロース部粗脂肪含量ともいう。）、第10〜11胸椎部の胸最長筋の粗脂肪含有量（以下、サーロイン部粗脂肪含量ともいう。）についてもデータを得た。これらのデータを表にまとめたものを図３〜図５に示す。
【００５９】
図３は、細胞外抵抗値と格付時脂肪交雑値、リブロース部粗脂肪含量、サーロイン部粗脂肪含量との関係を示した説明図であり、図３（ａ）は横軸が細胞外抵抗値、縦軸が格付時脂肪交雑値としたグラフ、図３（ｂ）は横軸が細胞外抵抗値、縦軸がリブロース部粗脂肪含量としたグラフ、図３（ｃ）は横軸が細胞外抵抗値、縦軸がサーロイン部粗脂肪含量としたグラフである。
【００６０】
図３（ａ）からも分かるように、細胞外抵抗値と格付時脂肪交雑値との関係は、相関係数rが0.24と低く、またp値が0.1以上であり、推定脂肪交雑値を算出するための実用的な相関式を得るのは困難であることが示された。
【００６１】
また、図３（ｂ）及び図３（ｃ）からも分かるように、細胞外抵抗値とリブロース部粗脂肪含量や、細胞外抵抗値とサーロイン部粗脂肪含量との相関も低く、これらの結果を総合すると、細胞外抵抗値は推定脂肪交雑値の算出には不向きであることが示唆された。
【００６２】
図４は、細胞内抵抗値と格付時脂肪交雑値、リブロース部粗脂肪含量、サーロイン部粗脂肪含量との関係を示した説明図であり、図４（ａ）は横軸が細胞内抵抗値、縦軸が格付時脂肪交雑値としたグラフ、図４（ｂ）は横軸が細胞内抵抗値、縦軸がリブロース部粗脂肪含量としたグラフ、図４（ｃ）は横軸が細胞内抵抗値、縦軸がサーロイン部粗脂肪含量としたグラフである。
【００６３】
図４（ａ）からも分かるように、細胞内抵抗値と格付時脂肪交雑値との関係は、相関係数rが0.70と比較的高く、またp値が0.01以下であることから、推定脂肪交雑値を算出するための相関式として実用性が高いものと考えられた。また、この細胞内抵抗値と格付時脂肪交雑値との関係における相関式はy=0.06x+3.62で示され、傾き及び切片について標準偏差を加味すると、y=(0.06+a)x+3.62+b（ただし、a=±0.18、b=±1.086）となることが示された。
【００６４】
また、細胞内抵抗値は、図４（ｂ）及び図４（ｃ）からも分かるように、リブロース部粗脂肪含量やサーロイン部粗脂肪含量との相関も比較的高く、実際に測定する部位である生体牛の第10〜11胸椎部の胸最長筋の粗脂肪含有量や、脂肪交雑値の推定を行う第６〜７肋骨切開面胸最長筋の粗脂肪含有量を良好に反映する要素であることが示唆された。
【００６５】
図５は、細胞膜容量値と格付時脂肪交雑値、リブロース部粗脂肪含量、サーロイン部粗脂肪含量との関係を示した説明図であり、図５（ａ）は横軸が細胞膜容量値、縦軸が格付時脂肪交雑値としたグラフ、図５（ｂ）は横軸が細胞膜容量値、縦軸がリブロース部粗脂肪含量としたグラフ、図５（ｃ）は横軸が細胞膜容量値、縦軸がサーロイン部粗脂肪含量としたグラフである。
【００６６】
図５（ａ）からも分かるように、細胞膜容量値と格付時脂肪交雑値との関係は、相関係数rが0.12と低く、またp値が0.1以上であり、推定脂肪交雑値を算出するための実用的な相関式を得るのは困難であることが示された。
【００６７】
また、細胞膜容量値は、図５（ｃ）を参照すると、サーロイン部粗脂肪含量との相関は比較的高く、実際に測定する部位である生体牛の第10〜11胸椎部の胸最長筋の粗脂肪含有量については比較的良好に反映する要素であることが示されたものの、推定の対象部位であるリブロース部の粗脂肪含量との相関は低く、これらの結果を総合すると、細胞膜容量値は推定脂肪交雑値の算出には不向きであることが示唆された。
【００６８】
このように、図３〜図５に示した結果から、細胞内抵抗値が要素として最も適していることが示された。従って、本実施形態に係る脂肪交雑値の推定方法では、推定脂肪交雑値を算出するにあたり、細胞内抵抗値−脂肪交雑値相関式を用いることとした。
【００６９】
〔２．本実施形態に係る脂肪交雑値の推定方法を用いた脂肪交雑値の推定〕
次に、上述の図４（ｂ）に示した結果より得られた下記式( I )を細胞内抵抗値−脂肪交雑値相関式として、脂肪交雑値の推定を行った。
【００７０】
具体的には、月齢31〜33ヶ月の生体牛６頭に対し、第10〜11胸椎部の胸最長筋に周波数1〜1000kHz（1.00k，1.15k，1.33k，1.53k，1.76k，2.02k，2.33k，2.68k，3.09k，3.56k，4.10k，4.72k，5.43k，6.25k，7.20k，8.29k，9.54k，10.99k，12.65k，14.56k，16.77k，19.31k，22.23k，25.60k，29.47k，33.93k，39.07k，44.98k，51.79k，59.64k，68.66k，79.06k，91.03k，104.80k，120.70k，138.90k，160.00k，184.20k，212.10k，244.20k，281.20k，323.70k，372.80k，429.20k，494.20k，596.00k，655.10k，754.30k，868.50kおよび1000.00kの50点）の交番電流を通電して、同第10〜11胸椎部の胸最長筋における生体電気インピーダンス値を測定することでインピーダンス測定工程を行った。なお、生体電気インピーダンス値の測定は、図２にて示した装置を用い、生体牛の第10〜11胸椎部の胸最長筋に穿刺して４電極法により行った。
【００７１】
また併せて、超音波画像診断装置を用い、各生体牛の第10〜11胸椎部の胸最長筋の断面積を求めた。
【００７２】
次いで、等価回路モデルとしてのHaydenの電気的等価回路モデルに基いて、前記インピーダンス測定工程にて得られた前記生体電気インピーダンス値から細胞内抵抗値を算出し細胞内抵抗算出工程を行った。
【００７３】
細胞内抵抗値の算出は、超音波画像診断装置にて得られた生体牛の第10〜11胸椎部の胸最長筋の断面積を加味しない細胞内抵抗値と、断面積を加味した細胞内抵抗値とについて算出した。
【００７４】
次に、細胞内抵抗値−脂肪交雑値相関式として下記式( I )を用い、前記細胞内抵抗算出工程にて得られた細胞内抵抗値（断面積を加味しないもの）を代入し、第６〜７肋骨切開面胸最長筋における推定脂肪交雑値を算出して脂肪交雑値推定工程を行った。なお、ここでは、細胞内抵抗値−脂肪交雑値相関式で得られた値の小数点以下を切り捨てることで推定脂肪交雑値とした。
【数４】
0006337351.tif 000005
【００７５】
また、断面積を加味した細胞内抵抗値に関しては、細胞内抵抗値−脂肪交雑値相関式より得られた値と、超音波画像診断装置にて得られた生体牛の第10〜11胸椎部の胸最長筋の断面積とを説明変数として、新たな推定脂肪交雑値を従属変数として、重回帰モデルを構築することにより、推定脂肪交雑値の算出を行った。
【００７６】
このようにして得られた結果を図６に示す。図６からも分かるように、断面積を考慮しない場合であっても、実際の格付時脂肪交雑値との誤差が平均で2.333程度の値で精度良く脂肪交雑値の推定を行うことができた。
【００７７】
また、断面積を考慮した場合は、実際の格付時脂肪交雑値との誤差がなく、断面積を考慮しない場合に比して、さらに精度良く脂肪交雑値の推定を行うことができた。
【００７８】
このように、本実施形態に係る脂肪交雑値の推定方法によれば、第６〜７胸椎部における胸最長筋を侵襲することなく、生体牛の第６〜７肋骨切開面胸最長筋における脂肪交雑値を推定する方法であって、生体牛の第10〜11胸椎部の胸最長筋に所定の周波数で交番電流を通電して、同第10〜11胸椎部の胸最長筋における生体電気インピーダンス値の測定を行うインピーダンス測定工程と、等価回路モデルに基いて、前記インピーダンス測定工程にて得られた前記生体電気インピーダンス値から細胞内抵抗値を算出する細胞内抵抗算出工程と、細胞内抵抗値−脂肪交雑値相関式に前記細胞内抵抗算出工程にて得られた細胞内抵抗値を代入し、第６〜７肋骨切開面胸最長筋における推定脂肪交雑値を算出する脂肪交雑値推定工程と、を有することとしたため、生体牛の第６〜７胸椎部における胸最長筋に侵襲を加えることなく、安価且つ手軽に生体牛の第６〜７肋骨切開面胸最長筋における脂肪交雑値を比較的容易に推定する方法を提供することができる。
【００７９】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００８０】
例えば、本実施形態に係る脂肪交雑の推定方法は、飼育中の生体牛に対して１回だけ行うようにしても良く、また、間欠的に数回行うことで脂肪交雑の経時変化を確認するようにしても良い。
【００８１】
また、インピーダンス値の測定にあたっては、通電に際しいずれの生体牛に対しても所定の周波数で行うようにしても良く、また、周波数を変調させつつ測定対象となる個体に適した周波数を決定し、個体別に異なる周波数にて測定を行うようにしても良い。
【符号の説明】
【００８２】
１０  インピーダンスメータ
１１  電流供給装置
１５  電流通電電極
１６  電圧測定電極
１７  インピーダンス値算出部
１８  表示部
２０  生体牛
２３  胸最長筋
３０  電極針
【図１】
0006337351.tif 000007
【図２】
0006337351.tif 000008
【図３】
0006337351.tif 000009
【図４】
0006337351.tif 000010
【図５】
0006337351.tif 000011
【図６】
0006337351.tif 000012